(57)【要約】【課題】可搬型蓄電装置の貸与や借用を促すこと。【解決手段】サーバ５は複数の可搬型蓄電装置１からそれぞれの蓄電状態を示す状態情報と、それぞれ地理的な位置を示す位置情報とを取得し、これらとユーザの通信アドレスと関連付けて記憶する。サーバ５は蓄電量が欠乏している可搬型蓄電装置１の情報と、蓄電量が欠乏していない可搬型蓄電装置１の情報をデータベースから抽出し、貸与や借用を促すための情報を送信する。【選択図】図１
2019164642.tif 000002
【特許請求の範囲】
【請求項１】
複数の可搬型蓄電装置からそれぞれの蓄電状態を示す状態情報と、それぞれ地理的な位置を示す位置情報とを取得する取得手段と、
前記取得手段により取得された状態情報および位置情報をユーザの通信アドレスと関連付けて記憶するユーザデータベースと、
前記状態情報に基づき蓄電量が欠乏している可搬型蓄電装置の位置情報または通信アドレスを前記ユーザデータベースから抽出する第一抽出手段と、
前記状態情報に基づき蓄電量が欠乏していない可搬型蓄電装置のユーザの通信アドレスを前記ユーザデータベースから抽出する第二抽出手段と、
前記第二抽出手段により抽出された通信アドレスに対して前記第一抽出手段により抽出された位置情報または通信アドレスを含む欠乏情報を送信する送信手段と
を有することを特徴とするサーバ装置。
【請求項２】
前記第二抽出手段は、前記第一抽出手段により抽出された位置情報と、前記蓄電量が欠乏していない可搬型蓄電装置の位置情報とに基づき、前記蓄電量が欠乏している可搬型蓄電装置の位置に近い位置に存在する蓄電量が欠乏していない可搬型蓄電装置の位置情報または通信アドレスを優先的に抽出することを特徴とする請求項１に記載のサーバ装置。
【請求項３】
前記第二抽出手段は、前記蓄電量が欠乏していない可搬型蓄電装置の状態情報に基づき、前記蓄電量が多い可搬型蓄電装置の位置情報または通信アドレスを優先的に抽出することを特徴とする請求項１または２に記載のサーバ装置。
【請求項４】
前記状態情報に基づき蓄電量が欠乏している可搬型蓄電装置の通信アドレスを前記ユーザデータベースから抽出する第三抽出手段をさらに有し、
前記第三抽出手段により抽出された前記蓄電量が欠乏している可搬型蓄電装置の通信アドレスに対して他のユーザからの電力の受給を希望するかどうかを問い合わせるための問い合わせメッセージを送信する問い合わせ手段と、
前記問い合わせメッセージ対するレスポンスを受信する受信手段と、
前記レスポンスに基づき前記蓄電量が欠乏している可搬型蓄電装置のユーザが他のユーザからの電力の受給を希望しているかどうかを判定する判定手段と、
をさらに有し、
前記送信手段は、前記蓄電量が欠乏している可搬型蓄電装置のユーザが他のユーザからの電力の受給を希望していると前記判定手段が判定すると、前記第二抽出手段により抽出された通信アドレスに対して前記第一抽出手段により抽出された位置情報または通信アドレスを含む欠乏情報を送信することを特徴とする請求項１ないし３のいずれか一項に記載のサーバ装置。
【請求項５】
前記第二抽出手段により抽出された前記蓄電量が欠乏していない可搬型蓄電装置のユーザの通信アドレスに対して他のユーザへの電力の供給を希望するかどうかを問い合わせるための問い合わせメッセージを送信する問い合わせ手段と、
前記問い合わせメッセージ対するレスポンスを受信する受信手段と、
前記レスポンスに基づき前記蓄電量が欠乏していない可搬型蓄電装置のユーザが他のユーザへの電力の供給を希望しているかどうかを判定する判定手段と、
をさらに有し、
前記第一抽出手段は、前記蓄電量が欠乏していない可搬型蓄電装置のユーザが他のユーザへの電力の供給を希望している場合に、前記蓄電量が欠乏している可搬型蓄電装置の位置情報または通信アドレスを前記ユーザデータベースから抽出し、
前記送信手段は、前記他のユーザへの電力の供給を希望している前記蓄電量が欠乏していない可搬型蓄電装置のユーザの通信アドレスに対して前記第一抽出手段により抽出された位置情報または通信アドレスを含む欠乏情報を送信する
ことを特徴とする請求項１ないし３のいずれか一項に記載のサーバ装置。
【請求項６】
可搬型蓄電装置であって、
請求項１ないし５のいずれか一項に記載のサーバ装置と通信する通信手段と、
蓄電手段と、
前記蓄電手段の蓄電量を計測する計測手段と、
地理的な位置を測位する測位手段と、
を有し、
前記通信手段は、前記計測手段により計測された蓄電状態を示す状態情報と、前記測位手段により測位された位置を示す位置情報とを前記サーバ装置に送信することを特徴とする可搬型蓄電装置。
【請求項７】
通信端末で実行されるプログラムであって、
請求項１ないし５のいずれか一項に記載のサーバ装置に認証情報を送信することで認証処理を実行する認証手段と、
前記サーバ装置に対して、可搬型蓄電装置の蓄電状態を示す状態情報と、地理的な位置を示す位置情報とを送信する送信手段と、
前記可搬型蓄電装置の蓄電量が欠乏している場合に、蓄電量が欠乏していない可搬型蓄電装置のユーザの通信アドレスまたは位置情報を受信する、または、前記可搬型蓄電装置の蓄電量が欠乏していない場合に、蓄電量が欠乏している可搬型蓄電装置のユーザの通信アドレスまたは位置情報を受信するように構成された受信手段と、
を有することを特徴とするプログラム。
【発明の詳細な説明】
【技術分野】
【０００１】
本発明は、可搬型蓄電装置の貸与または借用を促す可搬型蓄電装置、サーバ装置およびプログラムに関する。
【背景技術】
【０００２】
特許文献１によれば走行用蓄電池を搭載した電動車両を電力価格の安い充電施設に誘導することが記載されている。今後、このような電動車両や充電施設が増加することが予想される。
【先行技術文献】
【特許文献】
【０００３】
【特許文献１】特開２０１１−１２８８７１号公報
【発明の概要】
【発明が解決しようとする課題】
【０００４】
電動車両は走行用蓄電池の電力を外部の家電製品に供給することができる。ところで、可搬型の蓄電池が普及しつつある。近年、米国などでは、可搬型発電機や可搬型の蓄電池をキャンプ場に持ち込み、家電製品を使用するといったキャンプ愛好家が増加している。一方で、エンジンの燃料が無くなったり、充電量が不足したりすると、キャンプ愛好家は、家電製品を使用できなくなる。キャンプ場には、多数のキャンプ愛好家が集うため、あるキャンプ愛好家の可搬型蓄電池は電力供給不可能であっても、他のキャンプ愛好家の可搬型蓄電池は電力供給可能なこともあろう。また、屋台の電源としてこのような可搬型蓄電池が普及することが予想される。屋台の可搬型蓄電池の充電量が減ったとき、屋台の運営者は、他のユーザの可搬型蓄電池から充電することを望むかもしれない。このように、可搬型蓄電池が普及すると、ユーザ間での可搬型蓄電池の貸し借りの需要が増加するであろう。あるユーザは自己の可搬型蓄電池に残っている電力を他のユーザに供給することで報酬を得ることを望むかもしれない。他のユーザは対価を支払ってでも電力の供給を受けたいと思うかもしれない。そこで、本発明は、可搬型蓄電装置の貸与や借用を促すことを目的とする。
【課題を解決するための手段】
【０００５】
本発明によれば、たとえば
複数の可搬型蓄電装置からそれぞれの蓄電状態を示す状態情報と、それぞれ地理的な位置を示す位置情報とを取得する取得手段と、
前記取得手段により取得された状態情報および位置情報をユーザの通信アドレスと関連付けて記憶するユーザデータベースと、
前記状態情報に基づき蓄電量が欠乏している可搬型蓄電装置の位置情報または通信アドレスを前記ユーザデータベースから抽出する第一抽出手段と、
前記状態情報に基づき蓄電量が欠乏していない可搬型蓄電装置のユーザの通信アドレスを前記ユーザデータベースから抽出する第二抽出手段と、
前記第二抽出手段により抽出された通信アドレスに対して前記第一抽出手段により抽出された位置情報または通信アドレスを含む欠乏情報を送信する送信手段と
を有することを特徴とするサーバ装置が提供される。
【発明の効果】
【０００６】
本発明によれば、可搬型蓄電装置の貸与や借用を促すことが可能となる。
【図面の簡単な説明】
【０００７】
【図１】蓄電装置貸与システムを示す図
【図２】可搬型蓄電装置を示す図
【図３】可搬型蓄電装置を示す図
【図４】可搬型蓄電装置の制御回路を示す図
【図５】サーバ装置を示す図
【図６】ユーザデータベースを示す図
【図７】電力貸与方法を示すシーケンス図
【図８】電力貸与方法を示すシーケンス図
【図９】電力貸与方法を示すフローチャート
【図１０】電力貸与方法を示すフローチャート
【図１１】通信端末を示す図
【図１２】電力貸与方法を示すシーケンス図
【図１３】電力貸与方法を示すシーケンス図
【図１４】電力貸与方法を示すシーケンス図
【発明を実施するための形態】
【０００８】
＜蓄電装置貸与システム＞
図１は蓄電装置貸与システム１００を示している。参照符号の末尾に付与されている小文字のアルファベットは同一または類似の装置を区別するために付与されている。このアルファベットは複数の装置に共通する事項が説明されるときは省略される。キャンプ場では、複数のキャンプ愛好家（ユーザ）がテントを設営したり、バンガローなどに宿泊したりする。第一ユーザａはエンジン発電機付の可搬型蓄電装置１ａと通信端末３ａを所持している。可搬型蓄電装置１ａは発電または蓄電している電力を負荷２ａに供給する。第二ユーザｂは発電機を含まない可搬型蓄電装置１ｂと通信端末３ｂを所持している。可搬型蓄電装置１ｂは商用交流電源などから電力を供給されて充電される。可搬型蓄電装置１ｂは負荷２ｂに電力を供給する。第三ユーザｚはエンジン発電機付の可搬型蓄電装置１ｚと通信端末３ｚを所持している。可搬型蓄電装置１ｚは負荷２ｚに電力を供給する。米国等には、敷地面積が１０万平方ｋｍを超えるキャンプ場も多く、複数のユーザ間の距離は数ｋｍ程度離れていることもある。このようなキャンプ場では商用交流電源が存在せず、各ユーザは自ら電源をテントサイトに持ち込むことがある。あるユーザは蓄電量が余剰であるが、他のユーザは蓄電量が欠乏していることがある。よって、これらのユーザ間で可搬型蓄電装置１を貸与／借用できれば便利であろう。
【０００９】
サーバ５は、キャンプ場またはキャンプ場の外に設けられたコンピュータである。サーバ５はネットワーク６や無線基地局７を介して可搬型蓄電装置１ａ、１ｂ、１ｚや通信端末３ａ、３ｂ、３ｚと通信してもよい。可搬型蓄電装置１ａ、１ｂ、１ｚはそれぞれ対応する通信端末３ａ、３ｂ、３ｚを介してサーバ５と通信してもよい。あるいは、通信端末３ａ、３ｂ、３ｚがサーバ５と通信可能であれば、可搬型蓄電装置１ａ、１ｂ、１ｚはサーバ５と通信できなくてもよい。無線基地局７はセルラー通信用の基地局であってもよいし、無線ＬＡＮのアクセスポイントであってもよい。サーバ５は、複数のユーザ間での可搬型蓄電装置１の貸与／借用を仲介したり、蓄電量の欠乏したユーザに蓄電量の豊富なユーザを紹介したり、蓄電量の豊富なユーザに蓄電量の欠乏したユーザを紹介したりする。
【００１０】
＜可搬型蓄電装置＞
図２は可搬型蓄電装置１を示すブロック図である。エンジン発電機１０は燃料タンクから供給される燃料にしたがって動作するエンジンと、当該エンジンにより駆動されて発電する発電機とを有している。燃料は、たとえば、ガソリン、液化石油ガス、水素などである。電源回路１１は、エンジン発電機１０により発電された電圧を所定の交流や直流に変換する回路である。ＡＣ／ＤＣ回路２１は、エンジン発電機１０により発電された交流を整流および平滑して直流を生成する整流平滑回路などを有している。インバータ回路２２は、ＡＣ／ＤＣ回路２１または蓄電池１２から出力される直流を所定周波数の安定した交流に変換する回路である。インバータ回路２２は蓄電池１２から出力される直流を所定周波数の安定した交流に変換してもよい。ＡＣ端子２６ａは、負荷２が接続されるＡＣアウトレット端子である。充電回路２４は、ＡＣ／ＤＣ回路２１から出力される電力を使用して蓄電池１２を充電する。制御回路１５は、電源回路１１、ＧＰＳ受信機１３、通信回路１６および操作部１７などを制御する回路である。ＧＰＳ受信機１３はＧＰＳ衛星から送信される信号を受信することで測位し、測位結果（例：緯度と経度）を制御回路１５に出力する。通信回路１６は、有線または無線を介してスマートフォンやＰＣ（パーソナルコンピュータ）と通信したり、サーバ５と通信したりする。操作部１７は表示装置と入力装置とを有している。残量センサ１４は蓄電池１２の蓄電量（例：電圧）を測定して、測定結果を制御回路１５に出力する。蓄電池１２の電圧は蓄電池１２の蓄電量が減るにつれて低下する。よって、蓄電池１２の電圧は蓄電池１２の蓄電量の目安となる。制御回路１５は定期的にまたはサーバ５から要求信号にしたがって蓄電池１２の蓄電量を示す蓄電情報をサーバ５に送信する。これによりサーバ５は様々なユーザの蓄電状態を収集することができる。
【００１１】
図３はエンジン発電機１０を有しない可搬型蓄電装置１を示すブロック図である。図２の可搬型蓄電装置１と図３の可搬型蓄電装置１とでは、エンジン発電機１０に関する部分を除き、共通の構成を採用している。ＡＣ／ＤＣ回路２１はＡＣ端子２６ｂから入力された交流を直流に変換し、充電回路２４に供給する。ＡＣ端子２６ｂはＡＣインレット端子である。充電回路２４はＡＣ／ＤＣ回路２１から供給された電力で蓄電池１２を充電する。ユーザは自宅等で可搬型蓄電装置１を充電してからキャンプ場に持ち込むことになろう。
【００１２】
＜可搬型蓄電装置１の制御回路＞
図４は可搬型蓄電装置１の制御回路１５を示している。制御回路１５はＣＰＵ３１と記憶装置３２とを有している。ＣＰＵ３１は、記憶装置３２に記憶されている制御プログラムを実行することで実現される複数の機能を有している。なお、これらの機能の一部またはすべてはＤＳＰ（デジタルシグナルプロセッサ）やＦＰＧＡ（フィールドプログラマブルゲートアレイ）などのハードウエア回路により実現されてもよい。記憶装置３２はＲＡＭやＲＯＭなどのメモリを含む。
【００１３】
蓄電量取得部３３は残量センサ１４の計測結果を状態情報３７として記憶装置３２に記憶する。状態情報３７は蓄電池１２の蓄電量を示す情報である。測位制御部３４はＧＰＳ受信機１３を制御して、可搬型蓄電装置１の位置情報３９を取得し、記憶装置３２に記憶する。位置情報３９は可搬型蓄電装置１の地理的な位置（例：緯度経度）を示す情報である。記憶装置３２はさらに認証情報３８と通信アドレス４０を記憶していてもよい。認証情報３８はユーザの識別情報やパスワード、可搬型蓄電装置１に割り当てられた固有の識別情報などを含んでいてもよい。通信アドレス４０は、ユーザに対して他のユーザやサーバ５がメッセージを送信するために使用される通信アドレスである。通信アドレス４０は、たとえば、電子メールアドレス、ＳＮＳサービスのアドレス、通信端末３または可搬型蓄電装置１で実行されるアプリケーションと通信するためのアドレスなどである。サーバ通信部３５は、所定の通信開始条件が満たされると、サーバ５と通信する。たとえば、サーバ通信部３５は、定期的に、状態情報３７、位置情報３９、固有の識別情報などを含む蓄電情報を作成し、サーバ５に送信する。サーバ通信部３５は、サーバ５により送信された問い合わせメッセージや受諾メッセージを受信したり、それに対するレスポンスをサーバ５に送信したりする。サーバ通信部３５は、他のユーザにより送信される受諾メッセージ、提案メッセージを受信したり、提案レスポンスを送信したりする。ＵＩ部３６は、サーバ５により送信された問い合わせメッセージを操作部１７の表示装置に表示したり、操作部１７から入力された指示に応じて問い合わせに対するレスポンスを作成してサーバ５に送信したりする。ＵＩ部３６は受諾メッセージや提案メッセージを表示装置に表示したり、操作部１７から入力された指示に応じてレスポンスを作成してサーバ５や他のユーザに送信したりする。これらのメッセージやレスポンスの一例は以下で詳細に説明される。
【００１４】
＜サーバ５＞
図５はサーバ５の機能を示すブロック図である。ＣＰＵ４１は、記憶装置４２に記憶されている制御プログラム５５を実行することで実現される複数の機能を有している。なお、これらの機能の一部またはすべてはＤＳＰやＦＰＧＡなどのハードウエア回路により実現されてもよい。記憶装置４２はＲＡＭやＲＯＭ、ＨＤＤ（ハードディスクドライブ）、ＳＳＤ（シリコンステートディスク）などを含む。通信回路５３はネットワークを介して可搬型蓄電装置１や通信端末３と通信する通信回路である。
【００１５】
蓄電情報収集部４３は複数の可搬型蓄電装置１から送信される蓄電情報を通信回路５３により受信してユーザＤＢ５４に登録する。ユーザＤＢはユーザデータベースの略称である。
【００１６】
図６はユーザＤＢ５４の記憶構造を示している。ユーザＩＤはユーザの識別情報である。パスワードは認証情報の一部である。蓄電池ＩＤは可搬型蓄電装置１に割り当てられた固有の識別情報である。仕様情報は、可搬型蓄電装置１の蓄電池１２に充電可能な公称充電量（蓄電量）を示している。蓄電状態は可搬型蓄電装置１の蓄電状態を示している。蓄電状態は定量的な情報（例：充電量、満充電に対する充電量の割合など）や定性的な情報（例：満充電状態、欠乏状態など）を示してもよい。通信アドレスは、電子メールアドレス、ＳＮＳサービスのアドレス、通信端末３または可搬型蓄電装置１で実行されるアプリケーションと通信するためのアドレスである。位置情報は可搬型蓄電装置１の地理的な位置を示す位置情報である。
【００１７】
図５において抽出部４４はユーザＤＢ５４を検索することで蓄電量が欠乏しているユーザ（可搬型蓄電装置１）を抽出したり、蓄電量が豊富なユーザ（可搬型蓄電装置１）を抽出したりする。たとえば、第一抽出部５０は、蓄電状態に基づき蓄電量が欠乏している可搬型蓄電装置１の位置情報または通信アドレスをユーザＤＢ５４から抽出する。第二抽出部５１は蓄電状態に基づき蓄電量が欠乏していない可搬型蓄電装置１のユーザの通信アドレスをユーザＤＢ５４から抽出する。第二抽出部５１は、第一抽出部５０により抽出された位置情報と、蓄電量が欠乏していない可搬型蓄電装置１の位置情報とに基づき、蓄電量が欠乏している可搬型蓄電装置１の位置に近い位置に存在する蓄電量が欠乏していない可搬型蓄電装置１の位置情報または通信アドレスを優先的に抽出してもよい。第二抽出部５１は、蓄電量が欠乏していない可搬型蓄電装置１の蓄電状態に基づき、蓄電量が多い可搬型蓄電装置１の位置情報または通信アドレスを優先的に抽出してもよい。第三抽出部５２は蓄電状態に基づき蓄電量が欠乏している可搬型蓄電装置１の通信アドレスを抽出する。第二抽出部５１は、蓄電量が欠乏していない可搬型蓄電装置１の蓄電状態に基づき、所定時間にわたり蓄電量の変化が小さい可搬型蓄電装置１を抽出してもよい。このような可搬型蓄電装置１が保持している蓄電量は使用用途のない余剰な蓄電量と考えられるからである。所定時間とは、たとえば、１時間以上でかつ６時間以下であってもよい。
【００１８】
認証処理部４５はユーザまたは可搬型蓄電装置１がユーザＤＢ５４に登録されたユーザまたは可搬型蓄電装置１であるかどうかを判定する。情報提供部４６は、蓄電量の欠乏したユーザに蓄電量の豊富なユーザを紹介する情報や、蓄電量の豊富なユーザに蓄電量の欠乏したユーザを紹介する情報を作成して送信する。この情報は欠乏情報と呼ばれてもよい。欠乏情報は、たとえば、ユーザの通信アドレスに関する情報や位置情報を含む。蓄電量の豊富なユーザは、近くに存在する蓄電量の欠乏したユーザに連絡し、可搬型蓄電装置１を貸与することを申し出てもよい。蓄電量の欠乏したユーザは、近くに存在する蓄電量の豊富なユーザに連絡し、可搬型蓄電装置１を借用することを打診してもよい。通信アドレスは、ユーザの電話番号、電子メールアドレス、ＳＮＳサービスのアドレス、貸与仲介アプリケーション上のアドレスなどである。貸与仲介アプリケーションは可搬型蓄電装置１または通信端末３において動作し、サーバ５と通信するためのプログラムである。
【００１９】
問い合わせ部４７は第三抽出部５２により抽出された蓄電量が欠乏している可搬型蓄電装置１の通信アドレスに対して他のユーザからの電力の受給を希望するかどうかを問い合わせるための問い合わせメッセージを送信してもよい。これは、蓄電量が欠乏している可搬型蓄電装置１が他のユーザからの可搬型蓄電装置１の借用を望んでいないこともありうるからである。レスポンス受信部４８は問い合わせメッセージ対するレスポンスを受信する。判定部４９はレスポンスに基づき蓄電量が欠乏している可搬型蓄電装置１のユーザが他のユーザからの電力の受給を希望しているかどうかを判定する。情報提供部４６は、蓄電量が欠乏している可搬型蓄電装置１のユーザが他のユーザからの電力の受給を希望していると判定部４９が判定すると、第二抽出部５１により抽出された通信アドレスに対して第一抽出部５０により抽出された位置情報または通信アドレスを含む欠乏情報を送信する。欠乏情報は貸与提案情報や借用希望情報と呼ばれてもよい。
【００２０】
問い合わせ部４７は第二抽出部５１により抽出された蓄電量が欠乏していない可搬型蓄電装置１のユーザの通信アドレスに対して他のユーザへの電力の供給を希望するかどうかを問い合わせるための問い合わせメッセージを送信してもよい。これは、蓄電量の豊富な可搬型蓄電装置１のユーザが他のユーザへの可搬型蓄電装置１の貸与を希望していないこともあるからである。レスポンス受信部４８はこの問い合わせメッセージ対するレスポンスを受信する。判定部４９はレスポンスに基づき蓄電量が欠乏していない可搬型蓄電装置１のユーザが他のユーザへの電力の供給を希望しているかどうかを判定する。第一抽出部５０は、蓄電量が欠乏していない可搬型蓄電装置１のユーザが他のユーザへの電力の供給を希望している場合に、蓄電量が欠乏している可搬型蓄電装置１の位置情報または通信アドレスをユーザデータベースから抽出する。同様に、情報提供部４６は他のユーザへの電力の供給を希望している蓄電量が欠乏していない可搬型蓄電装置１のユーザの通信アドレスに対して第一抽出部５０により抽出された位置情報または通信アドレスを含む欠乏情報を送信してもよい。
【００２１】
＜貸与シーケンスＩ＞
図７は可搬型蓄電装置の貸与方法を示すシーケンス図である。ここでは第一ユーザａは欠乏ユーザであり、第二ユーザｂは余剰ユーザである。つまり、可搬型蓄電装置１ａの蓄電池１２は蓄電量が少なく、可搬型蓄電装置１ｂの蓄電池１２は蓄電量が多い。なお、以下の説明において可搬型蓄電装置１ａは通信端末３ａであってもよい。可搬型蓄電装置１ｂは通信端末３ｂであってもよい。
【００２２】
Ｓｑ１で第一ユーザａの可搬型蓄電装置１ａは蓄電情報をサーバ５に送信する。サーバ５は蓄電情報を受信すると、受信した蓄電情報に応じてユーザＤＢ５４の内容を更新する。
【００２３】
Ｓｑ２で第二ユーザｂの可搬型蓄電装置１ｂは蓄電情報をサーバ５に送信する。サーバ５は蓄電情報を受信すると、受信した蓄電情報に応じてユーザＤＢ５４の内容を更新する。
【００２４】
Ｓｑ３でサーバ５はユーザＤＢ５４を検索することで蓄電池１２の蓄電量が少ない可搬型蓄電装置１ａを抽出し、可搬型蓄電装置１ａに受給問い合わせを送信する。受給問い合わせとは、他のユーザが所有している可搬型蓄電装置１の借用を希望するかどうかを第一ユーザａに問い合わせるためのメッセージである。受給問い合わせには、第一ユーザａの可搬型蓄電装置１ａの位置情報や通信アドレスが含まれていてもよい。
【００２５】
Ｓｑ４で第一ユーザａの可搬型蓄電装置１ａは受給レスポンスをサーバ５に送信する。可搬型蓄電装置１ａは受給問い合わせを表示装置に表示し、入力装置から入力された第一ユーザａの指示にしたがったレスポンスを作成する。このレスポンスには、借用を希望するか否かのメッセージが含まれている。なお、Ｓｑ３とＳｑ４はオプションである。
【００２６】
Ｓｑ５でサーバ５は欠乏情報を第二ユーザｂの可搬型蓄電装置１ｂに送信する。欠乏情報は、第一ユーザａの可搬型蓄電装置１ａの位置情報や通信アドレスなどを含んでもよい。可搬型蓄電装置１ｂは表示装置に第一ユーザａの可搬型蓄電装置１ａの位置情報や通信アドレスなどを表示する。
【００２７】
Ｓｑ６で可搬型蓄電装置１ｂは第一ユーザａまたは可搬型蓄電装置１ａの通信アドレスに対して受諾メッセージを送信する。受諾メッセージには、可搬型蓄電装置１ｂを貸与すること、対価の額、貸与場所、希望貸与日時、希望返却日時、返却場所などの貸与条件情報を含んでもよい。なお、貸与条件情報（借用条件情報）はユーザ間での交渉にゆだねられてもよい。
【００２８】
＜貸与シーケンスＩＩ＞
図８は可搬型蓄電装置の貸与方法を示すシーケンス図である。図８においては、図７のＳｑ５、６がＳｑ７−Ｓｑ９に置換されている。
【００２９】
Ｓｑ７でサーバ５はユーザＤＢ５４を検索することで蓄電池１２の蓄電量が多い可搬型蓄電装置１ｂを抽出し、可搬型蓄電装置１ｂに供給問い合わせを送信する。供給問い合わせとは、他のユーザに対して可搬型蓄電装置１を貸与することを希望するかどうかを第二ユーザｂに問い合わせるためのメッセージである。供給問い合わせには、第一ユーザａの可搬型蓄電装置１ｂの位置情報や通信アドレスが含まれていてもよい。
【００３０】
Ｓｑ８で第二ユーザｂの可搬型蓄電装置１ｂは供給レスポンスをサーバ５に送信する。可搬型蓄電装置１ｂは供給問い合わせを表示装置に表示し、入力装置から入力された第二ユーザｂの指示にしたがったレスポンスを作成する。このレスポンスには、貸与を希望するか否かのメッセージが含まれている。なお、レスポンスには、貸与場所、希望貸与日時、対価の額、希望返却日時、返却場所の情報が含まれていてもよい。
【００３１】
Ｓｑ９でサーバ５は第一ユーザａの可搬型蓄電装置１ａに対して受諾メッセージを送信する。受諾メッセージには、第二ユーザｂの通信アドレス、貸与場所、対価の額、希望返却日時、返却場所の情報が含まれていてもよい。第一ユーザａは第二ユーザｂの通信アドレスを使用して第二ユーザｂと連絡し、対価の額、貸与場所、希望貸与日時、希望返却日時、返却場所などを交渉してもよい。
【００３２】
＜フローチャート＞
図９はサーバ５のＣＰＵ４１が実行する貸与方法を示すフローチャートである。Ｓ２の実行順番とＳ３の実行順番は逆でもよい。
・Ｓ１でＣＰＵ４１（蓄電情報収集部４３）は複数の可搬型蓄電装置１から蓄電情報を収集し、ユーザＤＢ５４を更新する。
・Ｓ２でＣＰＵ４１（第一抽出部５０）はユーザＤＢ５４を検索し、欠乏ユーザ（電力プアユーザ）を抽出する。たとえば、第一抽出部５０は蓄電状態が示す蓄電量が第一閾値未満であるユーザ（可搬型蓄電装置１）を抽出する。
・Ｓ３でＣＰＵ４１（第二抽出部５１）はユーザＤＢ５４を検索し、余剰ユーザ（電力リッチユーザ）を抽出する。たとえば、第二抽出部５１は蓄電状態が示す蓄電量が第二閾値以上であるユーザ（可搬型蓄電装置１）を抽出する。第二閾値は第一閾値よりも大きい。
・Ｓ４でＣＰＵ４１（情報提供部４６）は余剰ユーザに欠乏ユーザの情報（欠乏情報）を提供する。情報提供部４６は、欠乏ユーザの位置情報や通信アドレスを含む欠乏情報を余剰ユーザの通信アドレスに対して送信する。通信アドレスは、可搬型蓄電装置１の通信アドレスであってもよいし、通信端末３の通信アドレスであってもよい。
【００３３】
図１０は可搬型蓄電装置１のＣＰＵ３１により実行される貸与方法を示すフローチャートである。
・Ｓ１１でＣＰＵ３１（サーバ通信部３５）は蓄電情報をサーバ５に送信する。サーバ通信部３５は、たとえば、蓄電量取得部３３により取得された状態情報３７、測位制御部３４およびＧＰＳ受信機１３により取得された位置情報、ユーザまたは可搬型蓄電装置１の通信アドレス４０などを含む蓄電情報をサーバ５に送信する。
・Ｓ１２でＣＰＵ３１（サーバ通信部３５）は欠乏情報を受信する。
・Ｓ１３でＣＰＵ３１（ＵＩ部３６）は欠乏情報を操作部１７の表示装置に出力する。
【００３４】
＜通信端末＞
上記の実施の形態では可搬型蓄電装置１がサーバ５と通信できることが前提とされている。しかし、この前提は必須ではない。通信端末３が可搬型蓄電装置１のＣＰＵ３１の機能を実装してもよい。
【００３５】
図１１は通信端末３の機能を示すブロック図である。ＣＰＵ６１は、記憶装置６２に記憶されている制御プログラムを実行することで実現される複数の機能を有している。なお、これらの機能の一部またはすべてはＤＳＰやＦＰＧＡなどのハードウエア回路により実現されてもよい。記憶装置４２はＲＡＭやＲＯＭ、ＨＤＤ（ハードディスクドライブ）、ＳＳＤ（シリコンステートディスク）などを含む。第一通信回路６３はネットワークを介してサーバ５と通信する通信回路である。第二通信回路６４は、オプションであり、可搬型蓄電装置１と通信する通信回路である。操作部６５は表示装置と入力装置とを有している。ＧＰＳ受信機６６は通信端末の位置を測位する。図１１において図４と共通する部分には同一の参照符号が付与されており、その説明は援用される。
【００３６】
蓄電量取得部３３は操作部６５を通じてユーザにより入力される状態情報３７などを取得する。あるいは、蓄電量取得部３３は第二通信回路６４を介して可搬型蓄電装置１と通信することで、可搬型蓄電装置１から状態情報３７などを取得する。測位制御部３４はＧＰＳ受信機６６を制御して通信端末３の位置を測位して位置情報３９を取得する。あるいは、測位制御部３４は第二通信回路６４を介して可搬型蓄電装置１と通信することで、可搬型蓄電装置１から位置情報３９を取得する。
【００３７】
図１２は貸与方法を示すシーケンス図である。なお、以下の説明において、可搬型蓄電装置１ｂは通信端末３ｂと読み替えられてもよい。つまり、サーバ５は、可搬型蓄電装置１ｂに対する通信を通信端末３ｂに対して実行してもよい。つまり、通信端末３ｂも図１１に示された機能を有してもよい。
【００３８】
Ｓｑ１で第一ユーザａの通信端末３ａは蓄電情報をサーバ５に送信する。サーバ５は蓄電情報を受信すると、受信した蓄電情報に応じてユーザＤＢ５４の内容を更新する。
【００３９】
Ｓｑ２で第二ユーザｂの可搬型蓄電装置１ｂ（通信端末３ｂ）は蓄電情報をサーバ５に送信する。サーバ５は蓄電情報を受信すると、受信した蓄電情報に応じてユーザＤＢ５４の内容を更新する。
【００４０】
Ｓｑ３でサーバ５はユーザＤＢ５４を検索することで蓄電池１２の蓄電量が少ない可搬型蓄電装置１ａを抽出し、通信端末３ａに受給問い合わせを送信する。
【００４１】
Ｓｑ４で通信端末３ａは受給レスポンスをサーバ５に送信する。通信端末３ａは受給問い合わせを表示装置に表示し、入力装置から入力された第一ユーザａの指示にしたがったレスポンスを作成する。このレスポンスには、借用を希望するか否かのメッセージが含まれている。なお、Ｓｑ３とＳｑ４はオプションである。
【００４２】
Ｓｑ５でサーバ５は欠乏情報を第二ユーザｂの可搬型蓄電装置１ｂ（通信端末３ｂ）に送信する。可搬型蓄電装置１ｂまたは通信端末３ｂは表示装置に第一ユーザａの位置情報や通信アドレスなどを表示する。
【００４３】
Ｓｑ６で可搬型蓄電装置１ｂ（通信端末３ｂ）は第一ユーザａの通信アドレスに対して受諾メッセージを送信する。通信端末３ａのＵＩ部３６は受諾メッセージを受信し、操作部６５の表示装置に受諾メッセージを表示する。
【００４４】
＜他のシーケンス＞
図１３は可搬型蓄電装置の貸与方法を示すシーケンス図である。図８と比較すると、図１３ではいくつかのシーケンスの順番が入れ替わっている。図１３において、Ｓｑ１およびＳｑ２でサーバ５は複数の可搬型蓄電装置１の蓄電情報を収集し、蓄電量に余剰のあるユーザ（可搬型蓄電装置１）をユーザＤＢ５４から抽出する。Ｓｑ７でサーバ５は抽出された蓄電量に余剰のあるユーザ（可搬型蓄電装置１）に対して供給問い合わせを送信する。Ｓｑ８でサーバ５は供給レスポンスを受信し、他のユーザへの可搬型蓄電装置１の貸与を希望するユーザを決定する。可搬型蓄電装置１の貸与を希望するユーザが一名以上存在すれば、サーバ５は蓄電量の欠乏しているユーザ（可搬型蓄電装置１）をユーザＤＢ５４から抽出する。Ｓｑ３でサーバ５は蓄電量の欠乏しているユーザ（可搬型蓄電装置１）に受給問い合わせを送信する。Ｓｑ４でサーバ５は蓄電量の欠乏しているユーザ（可搬型蓄電装置１）から受給レスポンスを受信する。サーバ５は、たとえば、欠乏ユーザａと余剰ユーザｂとの位置情報を参照し、相互に近い位置に存在する欠乏ユーザａと余剰ユーザｂとの組み合わせを決定する。Ｓｑ５でサーバ５は余剰ユーザｂに欠乏情報を送信する。Ｓｑ６で余剰ユーザｂ（可搬型蓄電装置１ｂまたは通信端末３ｂ）は受諾メッセージを欠乏ユーザａに送信する。このようにいくつかのシーケンスの順番は入れ替え可能である。
【００４５】
図１４は可搬型蓄電装置の貸与方法を示すシーケンス図である。図１４では図１３におけるＳｑ１、Ｓｑ２、Ｓｑ７およびＳｑ８の後でＳｑ５が実行される。これにより余剰ユーザｂは欠乏ユーザａの通信アドレスを入手する。Ｓｑ１０で可搬型蓄電装置１ｂまたは通信端末３ｂは、欠乏ユーザａに対して提案メッセージを送信する。提案メッセージには、対価の額、貸与場所、返却場所、貸与日時、返却日時など、余剰ユーザｂが希望する貸与条件が含まれていてもよい。ここでは、複数の余剰ユーザｂが一人の欠乏ユーザａに対して条件提示を行ってもよい。Ｓｑ１１で欠乏ユーザａは提案メッセージに含まれている貸与条件を表示装置に表示し、提案を受け入れるか否かを示す提案レスポンスを余剰ユーザｂに送信する。このように、サーバ５は、余剰ユーザｂに対して欠乏ユーザａを紹介し、貸与の交渉はユーザ間で実行されてもよい。
【００４６】
＜まとめ＞
第１態様によれば、サーバ装置が提供される。サーバ５はサーバ装置の一例である。蓄電情報収集部４３は複数の可搬型蓄電装置１からそれぞれの蓄電状態を示す状態情報と、それぞれ地理的な位置を示す位置情報とを取得する取得手段の一例である。ユーザＤＢ５４は、取得手段により取得された状態情報および位置情報をユーザの通信アドレスと関連付けて記憶するユーザデータベースの一例である。第一抽出部５０は状態情報に基づき蓄電量が欠乏している可搬型蓄電装置１の位置情報または通信アドレスをユーザデータベースから抽出する第一抽出手段の一例である。可搬型蓄電装置１と同じユーザによって所有されている通信端末３の位置情報または通信アドレスが抽出されてもよい。これは、ユーザの位置情報または通信アドレスが取得されることと同義である。第二抽出部５１は状態情報に基づき蓄電量が欠乏していない可搬型蓄電装置１のユーザの通信アドレスをユーザデータベースから抽出する第二抽出手段の一例である。可搬型蓄電装置１や通信端末３の通信アドレスが抽出されてもよい。情報提供部４６や問い合わせ部４７、通信回路５３は第二抽出手段により抽出された通信アドレスに対して第一抽出手段により抽出された位置情報または通信アドレスを含む欠乏情報を送信する送信手段の一例である。これにより、余剰ユーザｂは欠乏ユーザａの存在を知ることができるため、可搬型蓄電装置１の貸与や借用が促される。なお、送信手段は、第二抽出手段により抽出された位置情報や通信アドレスを含む欠乏情報（余剰情報）を、第一抽出手段により抽出された通信アドレスに対して送信してもよい。
【００４７】
第２態様によれば、第二抽出手段は、第一抽出手段により抽出された位置情報と、蓄電量が欠乏していない可搬型蓄電装置の位置情報とに基づき、蓄電量が欠乏している可搬型蓄電装置の位置に近い位置に存在する蓄電量が欠乏していない可搬型蓄電装置の位置情報または通信アドレスを優先的に抽出してもよい。可搬型蓄電装置を貸与するユーザにとって借用を希望するユーザが近くに存在することは、貸与するユーザに貸与のためのモチベーションを与えるであろう。また、これは、可搬型蓄電装置を借用するユーザにとってもすぐに可搬型蓄電装置を借用できるという期待感を与えるであろう。
【００４８】
第３態様によれば、第二抽出手段は、蓄電量が欠乏していない可搬型蓄電装置の状態情報に基づき、蓄電量が多い可搬型蓄電装置の位置情報または通信アドレスを優先的に抽出してもよい。一般に、蓄電量が多い可搬型蓄電装置を所有しているユーザは、他のユーザに対して可搬型蓄電装置を貸与可能と考えられる。
【００４９】
第４態様によれば、第三抽出部５２は、状態情報に基づき蓄電量が欠乏している可搬型蓄電装置の通信アドレスをユーザデータベースから抽出する第三抽出手段の一例である。問い合わせ部４７は第三抽出手段により抽出された蓄電量が欠乏している可搬型蓄電装置の通信アドレスに対して他のユーザからの電力の受給を希望するかどうかを問い合わせるための問い合わせメッセージを送信する問い合わせ手段の一例である。レスポンス受信部４８は問い合わせメッセージ対するレスポンスを受信する受信手段の一例である。判定部４９はレスポンスに基づき蓄電量が欠乏している可搬型蓄電装置のユーザが他のユーザからの電力の受給を希望しているかどうかを判定する判定手段の一例である。情報提供部４６は、蓄電量が欠乏している可搬型蓄電装置のユーザが他のユーザからの電力の受給を希望していると判定手段が判定すると、第二抽出手段により抽出された通信アドレスに対して第一抽出手段により抽出された位置情報または通信アドレスを含む欠乏情報を送信する送信手段の一例である。このようにユーザの希望を反映させることで、より一層、可搬型蓄電装置１の貸与や借用が促進される。
【００５０】
第５態様によれば、問い合わせ部４７は第二抽出手段により抽出された蓄電量が欠乏していない可搬型蓄電装置のユーザの通信アドレスに対して他のユーザへの電力の供給を希望するかどうかを問い合わせるための問い合わせメッセージを送信する問い合わせ手段の一例である。レスポンス受信部４８は問い合わせメッセージ対するレスポンスを受信する受信手段の一例である。判定部４９はレスポンスに基づき蓄電量が欠乏していない可搬型蓄電装置のユーザが他のユーザへの電力の供給を希望しているかどうかを判定する判定手段の一例である。第一抽出部５０は蓄電量が欠乏していない可搬型蓄電装置のユーザが他のユーザへの電力の供給を希望している場合に、蓄電量が欠乏している可搬型蓄電装置の位置情報または通信アドレスをユーザデータベースから抽出する第一抽出手段の一例である。情報提供部４６は他のユーザへの電力の供給を希望している蓄電量が欠乏していない可搬型蓄電装置のユーザの通信アドレスに対して第一抽出手段により抽出された位置情報または通信アドレスを含む欠乏情報を送信する送信手段の一例である。このようにユーザの希望を反映させることで、より一層、可搬型蓄電装置１の貸与や借用が促進される。
【００５１】
第６態様によれば、可搬型蓄電装置１が提供される。サーバ通信部３５や通信回路１６はサーバ装置と通信する通信手段の一例である。蓄電池１２は蓄電手段の一例である。残量センサ１４は蓄電手段の蓄電量を計測する計測手段の一例である。ＧＰＳ受信機１３は地理的な位置を測位する測位手段の一例である。サーバ通信部３５や通信回路１６は、計測手段により計測された蓄電状態を示す状態情報と、測位手段により測位された位置を示す位置情報とをサーバ装置に送信してもよい。これにより、可搬型蓄電装置１の貸与や借用が促進される。
【００５２】
第７態様によれば、通信端末で実行されるプログラムであって、
サーバ装置に認証情報を送信することで認証処理を実行する認証手段と、
サーバ装置に対して、可搬型蓄電装置の蓄電状態を示す状態情報と、地理的な位置を示す位置情報とを送信する送信手段と、
可搬型蓄電装置の蓄電量が欠乏している場合に、蓄電量が欠乏していない可搬型蓄電装置のユーザの通信アドレスまたは位置情報を受信する、または、可搬型蓄電装置の蓄電量が欠乏していない場合に、蓄電量が欠乏している可搬型蓄電装置のユーザの通信アドレスまたは位置情報を受信するように構成された受信手段と、
を有することを特徴とするプログラムが提供される。これにより、可搬型蓄電装置１の貸与や借用が促進される。
【図１】
2019164642.tif 000003
【図２】
2019164642.tif 000004
【図３】
2019164642.tif 000005
【図４】
2019164642.tif 000006
【図５】
2019164642.tif 000007
【図６】
2019164642.tif 000008
【図７】
2019164642.tif 000009
【図８】
2019164642.tif 000010
【図９】
2019164642.tif 000011
【図１０】
2019164642.tif 000012
【図１１】
2019164642.tif 000013
【図１２】
2019164642.tif 000014
【図１３】
2019164642.tif 000015
【図１４】
2019164642.tif 000016